(57)【特許請求の範囲】
【請求項１】
点播した種子から育つ苗４を苗採ごとに区切るべく苗の株間に仕切体２・１４が設けられるように該仕切体２・１４が混入されたピートモスが矩形の板状に圧縮成形された苗床。
【発明の詳細な説明】
【０００１】
【発明の属する技術分野】
この発明は、野菜や稲の苗を育てる苗床に用いるものである。
【０００２】
【従来の技術】
ピートモスを矩形の板状に圧縮成形して苗床を作り、その上に野菜や稲の種子を点播して苗を育て、苗床を一株分ごとに分割して苗を移植することが試みられている。
【０００３】
【発明が解決しようとする課題】
上記の苗床は、脆くて崩れやすい。そのため、機械や手で一株分の苗に苗床を分割するとき、苗床の大きさが不揃になったり、苗床が崩れたりして苗の移植に支障をまねくおそれがあった。
【０００４】
【課題を解決するための手段】
この発明は、上記の課題を解決するため、点播した種子から育つ苗４を苗採ごとに区切るべく苗の株間に仕切体２・１４が設けられるように該仕切体２・１４が混入されたピートモスが矩形の板状に圧縮成形された苗床とした。
【０００５】
【実施例】
つぎに、この発明の実施例を説明する。
ピートモスが圧縮成形されてほぼ３０ｃｍ×６０ｃｍ×２．５〜４ｃｍの矩形の板状の苗床１になっている（図１）。圧縮前に配置された糸（紐、ロープ、網などを含む）２が苗床１の上面に食い込んでいる。
【０００６】
苗床１を苗箱３に入れ、潅水し、その上に野菜や稲の種子を点播し、土で覆ってすなわち覆土して苗４を育てるが、糸２は、左右の苗の中間もしくは前後の苗の中間である苗の株間に位置するように、縦糸２ａと横糸２ｂで格子状に組まれている。尚、この縦糸２ａ及び横糸２ｂが苗を苗株ごとに区切る仕切体となっている。
【０００７】
なお、野菜の種子は、単粒で点播し、稲の種子（たね籾）は、２〜３粒づつ点播する。縦糸２ａ又は横糸２ｂのみを用いても良い。この糸２は、苗床１の下面に配置することもできる。
苗４が所定の大きさに生長すると、苗箱３から苗床１を取り出し、一株分の苗４に苗床１を分割し、手または移植機で苗４を苗床１の一部とともに圃場に移植する。この分割に当り、糸２で苗床１に分け目が形成されているので、その分け目に沿って、所定の大きさに分割される。
【０００８】
移植機の要部を図３のように構成することができる。すなわち、中間に苗取口５ａを有する苗受板５が横向きに固定されている。苗取口５ａは、下方に回動する受板８で塞がっている。底面にベルトコンベア６を有する苗載台７が苗受板５の前で左右に往復駆動されている。苗床１がベルトコンベア６に載り、その後端の横一列の苗４が苗受板５上に突出し、苗載台７の上記の移動で苗取口５ａ上を左右に移動する。その移動で苗載台７が横端に来ると、ベルトコンベア６が作動して、つぎの横一列の苗４を苗受板５上に送り出す。
【０００９】
植込フレーム９の右に第１回転ケース１０が取付けられてエンジンの動力で反時計回りに回転している。その先に取付けられた第２回転ケース１１がその内の遊星歯車で時計方向に回転している。植込ケース１２が第２回転ケース１１の先に取付けられ、その中の遊星歯車で旋回中に同じような姿勢を保っている。一対の板で植込爪１３が構成されて植込ケース１２から下に突出し、上記の旋回で下端が軌道Ａを通り、その旋回の下降の初期に苗取口５ａを通過するようになっている。
【００１０】
そして、植込爪１３が受板８の上で、分け目に入って一株分の苗４の苗床１を欠ぎ取って保持し、受板８を押し開けて下降し、軌道Ａの下端において、欠ぎ取った苗床１とともにその苗４を圃場に移植する。植込爪１３が上昇したのちに改めて苗取口５ａ上に来ると、受板８が戻って苗取口５ａを塞ぎ、上記の苗４の左の苗４がその上に来ていて前記の作動が繰り返される。その苗４の横列の苗４の移植が終了すると、前の列の苗が押し出され、押し出された列の苗４が左から右に欠がれて移植される。なお、糸２は、移植までに腐食するものを用いると好都合であるが、腐食しないものは、移植までに除去することができる。
【００１１】
図４は、前記の縦糸２ａおよび横糸２ｂ又は網に代えて仕切体として用いる格子状の樹脂枠１４を示している。その断面を、下が尖った楔状に形成すると、苗床１の下部の剛性が保たれるとともに、樹脂枠１４の離脱が容易となる利点がある。
図５は、苗床１の上面に播種孔を形成するものを示している。すなわち、糸１５（又は樹脂枠１４）に球１６（又は小さな塊）を付け、これを播種位置に置いて苗床１を圧縮成形し、そののち、糸１５（又は樹脂枠１４）を引き上げると、苗床１の上面に播種孔が形成されて好都合である。
【００１２】
苗床１の下面又は層の中間に糸（紐状のものを含む）１７を取付け（図１）、苗床１を苗箱３に入れたとき、その端を苗箱３の外に出す（図２）。ピートモスの苗床１は、脆くて苗箱１から取出すときに形崩れを生じるが、上記の構成によると、糸１７を上に引き上げて苗床１のその端を浮かせたのち、すき間に苗取板を差し込んで苗床１をすくい上げることができてその課題が解消される。
【００１３】
図６は、ピートモスを角柱１８に圧縮成形し、横に倒したその複数を間隔を置いて（又はつめて）並べてシート１９に貼って出来た苗床を示している。シート１９は、紙その他の素材で腐食するものが好ましい。角柱１８には、一株分ごとに分け目１８ａを入れると良い。この構成によると、苗床の分割性にすぐれ、播種時には一箱分が一体化していて取扱いが容易である。シート１９には土壌内で腐食するジュート、生分解性樹脂などを用いることができる。
【００１４】
図１の縦糸２ａと横糸２ｂ（又は図４の樹脂枠１４の縦桟と横桟）を色分けすることができる。すると、縦横の区別が明白になる。
図７は、ピートモスを圧縮成形して苗４の一株分の苗床ブロック２０を作り、その複数個を前後左右に並べてシート２１に貼って出来た苗床を示している。これによると、一株分の苗４がきわめて容易に取り出されるので、機械移植に好結果が得られる。シート２１は、前記のように、腐食する材料で作ると良い。シート２１には、苗床ブロック２０を貼る位置に目印を付けて置くと良い。その目印は色分けして複数組を付け、貼る苗床ブロック２０の数が選択出来るようにすることができる。左右や前後の苗床ブロック２０の間に隙間があるものは、育苗に当ってその隙間に目土を入れると、ピートモスの乾燥防止、苗の生育促進、苗床の剛性の向上などの効果がある。
【００１５】
板状に圧縮成形したピートモスの苗床は、深さが３ｃｍ（水稲）又は４．５ｃｍ（野菜）程度の苗箱３内に入れ、潅水したのちにその上に播種する。苗床は、その潅水で水を吸収すると膨張する。そのため、吸水して膨張したあとの厚みが２．５ｃｍ（水稲）又は４ｃｍ（野菜）に作るべきである。また、そのＰＨ値は、水稲用が４．５〜５．５、野菜用が５．５〜６．５に設定すると、好結果が得られた。
【００１６】
ピートモスの圧縮成形に当り、予じめピートモスに細砂、バーミキュライト、炭、パーライトなどを混入すると、苗床の透水性が向上し、苗の生育が安定した。また、潅水作業も容易となり、気相部が増加して苗の生育が促進（根張りの向上）された。
図８は、吸水スピードの異なる素材で２層に圧縮成形した苗床を示している。すなわち、例えばピートモスのような、透水性のやや悪い素材を板状に圧縮成形して下層２２とし、例えばヤシガラのような、透水性の良い素材を板状に圧縮成形して上層２３とし、両者を上下に重ねて、又はこれらを接着して苗床とし、上面に種子を播いて苗４を育てるようになっている。上記の構成によると、苗床の上面が透水性が高いので、これに潅水すると、ただちに播種が出来て作業の効率が良い。また、全体の透水性が向上して育苗管理が簡単になる。
【００１７】
図８のように２層に構成した苗床につき、含有する肥料の窒素成分を下層２２よりも上層２３を高くするとともに、含有する肥料の燐成分を上層２３よりも下層２２を高くすることができる。上記の構成によると、苗４の初期の徒長が防止できる。なお、上層に透水性の良い素材を用いて上記の構成とすることもできる。
【００１８】
【効果】
以上のように、この発明によると、脆いピートモス製の苗床１に仕切体により分け目が付けられているので、苗４が育ったのち、この苗床１がその分け目に沿って均等な大きさに分けられて、苗４の活着や生育が均一化する。
【図面の簡単な説明】
【図１】この発明を施した苗床の斜面図
【図２】その苗床を苗箱に入れた状態の一部の断面図
【図３】その苗床で育った苗を移植する移植機の一部の斜面図
【図４】苗床の上面に分け目を付ける用具の斜面図
【図５】播種孔が設けられている苗床の一部の斜面図
【図６】他の苗床の一部の斜面図
【図７】他の苗床の一部の斜面図
【図８】他の苗床の一部の斜面図
【符号の説明】
１    苗床
２    糸
３    苗箱
４    苗
【図１】
0003637735.tif 000002
【図２】
0003637735.tif 000003
【図３】
0003637735.tif 000004
【図４】
0003637735.tif 000005
【図５】
0003637735.tif 000006
【図６】
0003637735.tif 000007
【図７】
0003637735.tif 000008
【図８】
0003637735.tif 000009